(57)【要約】【課題】  変圧器モジュールの提供。【解決手段】  変圧器外部に伝送手段が設けられ、隣り合う変圧器との間の相互干渉の発生を防止し、該変圧器モジュールは、ベース、鉄心、伝送手段を具え、該ベースは中空の管状柱体とされ、内部に収容孔があり両側に嵌合部と係止部が設けられ、且つ収容孔内に鉄心が収容され、並びに鉄心両側がベース両側の嵌合部に露出し、該ベース外部に伝送手段が設けられ、且つ伝送手段の両側に嵌止部が設けられ、該嵌止部のベース両側の嵌合部との係合を利用し、且つ鉄心と形成する電気的接続により、導電時の磁場安定の効果を達成する。【選択図】        図２
0003105842.tif 000002
【実用新案登録請求の範囲】
【請求項１】
変圧器外部に伝送手段が設置されて隣り合う変圧器の発生する相互干渉を防止し、ベース、鉄心、伝送手段を具え、該ベースは中空の管状柱体とされ、内部に収容孔があり両側に嵌合部と係止部が設けられ、係止部より外向きに複数のピンが延伸され、且つ収容孔内に鉄心が収容され、並びに鉄心両側がベース両側の嵌合部に露出する変圧器モジュールにおいて、
該ベース外部に設置された伝送手段の両側に嵌止部が設けられ、該嵌止部のベース両側の嵌合部と係合し且つ鉄心と電気的接続を形成することにより、導電と磁場安定の機能を達成することを特徴とする、変圧器モジュール。
【請求項２】
請求項１記載の変圧器モジュールにおいて、伝送手段が導電材料で形成され、且つ両側に柱状の嵌止部が凸設されたことを特徴とする、変圧器モジュール。
【請求項３】
請求項１記載の変圧器モジュールにおいて、ベースの両側に嵌合部と係止部が設けられ、該嵌合部の両側に嵌合溝が設けられ、該係止部に係止手段と係止溝が設けられ、相互に隣り合うベースの係止部の係止手段が係止溝中に係合することで複数のベースが接続され、並びに各ベースの伝送手段が分離され相互に非接続とされたことを特徴とする、変圧器モジュール。
【請求項４】
請求項１記載の変圧器モジュールにおいて、ベース上がカバーで被覆され、該カバーの相互に対応する側辺に複数の接続部、或いは一体成形された長條状の接続部が設けられたことを特徴とする、変圧器モジュール。
【考案の詳細な説明】
【技術分野】
【０００１】
本考案は変圧器モジュールに係り、特に変圧器外部に伝送手段が設けられ、隣り合うベース間の伝送手段により各ベースが分離され、隣り合う変圧器間に発生する相互干渉を防止し、並びに磁場を安定させる機能を有する変圧器モジュールに関する。
【背景技術】
【０００２】
各種の電子製品中、変圧器は不可欠の重要な部品の一つであり、変圧器の主要な作用は電子回路中の駆動電圧を変換することにあり、且つ使用状況の違いによりその種類と形式は同じでなく、例えばテレビジョンスクリーン中の作業電圧を昇圧させる高圧変圧器、発電所の出力電圧を下げる電源変圧器等があり、変圧器の使用の状況により変圧器に異なる規格の変化と設計が必要となる。伝統的な変圧器は中空のベースに銅線が巻き付けられてコイルが形成され、更にコイル上が絶縁層で被覆され、且つ絶縁層の上に更にコイルコイルが捲線され、こうして重複して数回、変圧器のメインコイルが形成され、並びに二つの鉄心が相互に対応するようにベースの中心の中空部分に組み合わされ、ベースの両側に伝送ピンが設けられ、且つ一側は入力端子とされ、もう一側は出力端子とされ、ベースに巻き付けられたコイル数により変換の電圧量が決定される。即ち変圧器の電圧変換比はここで既に固定され、変動不能であり、且つ鉄心を利用してベースの内部と外部で電圧伝送を行なうことで、干渉と電圧不安定の状況を発生しやすい。
【０００３】
図１１、１２、１３は周知の変圧器の立体分解図、組立方式を示す立体分解図、及び立体外観図である。それは第１ベースＡ、第２ベースＢ、少なくとも一つの銅線Ｃ、二つの鉄心Ｅを具え、
該第１ベースＡは、中空の管状柱体とされ、並びに該管状柱体の両端部より外向きに底板Ａ１、Ａ２が延伸され、且つ該底板Ａ１、Ａ２の外側端面に複数のピンＡ３、Ａ４が設けられ、
該第２ベースＢは、中空の管状柱体とされ、並びに該管状柱体の両端部より外向きに底板Ｂ１、Ｂ２が延伸され、且つ該底板Ｂ１、Ｂ２の外側端面に複数のピンＢ３、Ｂ４が設けられ、該第２ベースＢは第１ベースＡと並列に近接し、
該少なくとも一つの銅線Ｃは、第１ベースＡと第２ベースＢの管状柱体に巻き付けられ、該銅線Ｃの後端は第１ベースＡと第２ベースＢの複数のピンＡ３、Ａ４、Ｂ３、Ｂ４に接続されて変圧器Ｄの一次側端子Ｄ２と二次側端子Ｄ１の電気信号接続ピンを形成し、
該二つの鉄心Ｅは、二つの対向するよう組み合わされるコ形体とされ、そのうち一つの鉄心Ｅは平行に並列された二つの柱体Ｅ１、Ｅ２を具え、該柱体Ｅ１、Ｅ２は端辺Ｅ５に固定されて相互に接続され、もう一つの鉄心Ｅは平行に並列された二つの柱体Ｅ３、Ｅ４を具え、該柱体Ｅ３、Ｅ４は端辺Ｅ６に固定されて相互に接続され、該二つの鉄心Ｅは二つの柱体Ｅ１、Ｅ２と柱体Ｅ３、Ｅ４がそれぞれ第１ベースＡと第２ベースＢの中空部分を貫通し、且つ四つの柱体Ｅ１、Ｅ２、Ｅ３、Ｅ４及び二つの端辺Ｅ５、Ｅ６が連続する回路を形成し、回路の間の干渉が形成される。
【０００４】
上述の周知の変圧器モジュールは、その構造上、以下のような多くの欠点があり、使用時に不便と面倒を発生する。
１．二つの鉄心Ｅの二つの柱体Ｅ１、Ｅ２の端辺Ｅ５は固定相で接続され、もう二つの柱体Ｅ３、Ｅ４の端辺Ｅ６もまた固定接続され、磁場が端辺Ｅ５、Ｅ６を通り流通し、磁場が第１ベースＡと第２ベースＢの間で隠れて流通し、即ちこれにより相互干渉が発生する。
２．第１ベースＡと第２ベースＢは並列に配置されて変圧器Ｄを組成し、その一次側端子Ｄ２より入力された電圧が二次側端子Ｄ１より出力される時、第１ベースＡのピンＡ３と第２ベースＢのピンＢ３の出力する電流値が高さの不均一の現象を発生する。
３．第１ベースＡと第２ベースＢは二つの鉄心Ｅを対向するよう挿入した後に電圧伝送し、鉄心Ｅの柱体Ｅ１、Ｅ２及び柱体Ｅ３、Ｅ４は固定接続されているため、磁場干渉の現象を発生する。
【考案の開示】
【考案が解決しようとする課題】
【０００５】
本考案は上述の従来の変圧器モジュールの欠点を鑑み、隣り合う変圧器の相互干渉を防止し、電圧を安定化できる変圧器モジュールを提供するものである。
【０００６】
即ち本考案の主要な目的は、一種の変圧器モジュールを提供することにあり、それは、ベース、鉄心、伝送手段を具え、該ベースは中空の管状柱体とされ、内部に収容孔があり両側に嵌合部と係止部が設けられ、且つ収容孔内に鉄心が収容され、並びに鉄心両側がベース両側の嵌合部に露出し、該ベース外部に伝送手段が設けられ、且つ伝送手段の両側に嵌止部が設けられ、該嵌止部のベース両側の嵌合部との係合且つ鉄心と形成する電気的接続により、導電時の磁場安定の効果を達成するものとする。
【０００７】
本考案の次の目的は、伝送手段を導電材料で形成し、且つ両側に柱状の嵌止部を形成し、即ち該嵌止部をベース両側の嵌合部に係合させることにある。
【０００８】
本考案の別の目的は、ベースの両側の係止部に係止手段、係止溝を設け、隣り合うベースの係止手段を係止溝に係合させることでベースを並列に接続できるようにすることにある。
【課題を解決するための手段】
【０００９】
請求項１の考案は、変圧器外部に伝送手段が設置されて隣り合う変圧器の発生する相互干渉を防止し、ベース、鉄心、伝送手段を具え、該ベースは中空の管状柱体とされ、内部に収容孔があり両側に嵌合部と係止部が設けられ、係止部より外向きに複数のピンが延伸され、且つ収容孔内に鉄心が収容され、並びに鉄心両側がベース両側の嵌合部に露出する変圧器モジュールにおいて、
該ベース外部に設置された伝送手段の両側に嵌止部が設けられ、該嵌止部のベース両側の嵌合部と係合し且つ鉄心と電気的接続を形成することにより、導電と磁場安定の機能を達成することを特徴とする、変圧器モジュールとしている。
請求項２の考案は、請求項１記載の変圧器モジュールにおいて、伝送手段が導電材料で形成され、且つ両側に柱状の嵌止部が凸設されたことを特徴とする、変圧器モジュールとしている。
請求項３の考案は、請求項１記載の変圧器モジュールにおいて、ベースの両側に嵌合部と係止部が設けられ、該嵌合部の両側に嵌合溝が設けられ、該係止部に係止手段と係止溝が設けられ、相互に隣り合うベースの係止部の係止手段が係止溝中に係合することで複数のベースが接続され、並びに各ベースの伝送手段が分離され相互に非接続とされたことを特徴とする、変圧器モジュールとしている。
請求項４の考案は、請求項１記載の変圧器モジュールにおいて、ベース上がカバーで被覆され、該カバーの相互に対応する側辺に複数の接続部、或いは一体成形された長條状の接続部が設けられたことを特徴とする、変圧器モジュールとしている。
【考案の効果】
【００１０】
本考案の変圧器モジュールは、使用時に以下のような多くの優れた点を有している。
１．変圧器モジュールのベースが異なる伝送手段で電気的接続、磁路を形成し、相互間の相互干渉を防止し、磁場の相互流通を形成させない。
２．変圧器モジュールのベースがそれぞれ異なる磁路を具え、その誘導の磁場は極めて平均し、高さの違いの現象を発生しない。
３．変圧器モジュールのベースがそれぞれ異なる磁路を具え、安定した変圧が行なえ、出力する電流値が改変されない。
４．変圧器モジュールの複数のベースが並列に結合される時、各ベースに異なる伝送手段が使用され、伝送信号の相互干渉を発生しない。
【考案を実施するための最良の形態】
【００１１】
図１、２、３は本考案の立体外観図、立体分解図、及びベース底部平面図である。本考案の変圧器モジュールは、ベース１、鉄心２、伝送手段３を具えている。
【００１２】
該ベース１は中空の管状柱体とされ、内部に収容孔１１があり、その管状柱体外部に銅線が巻き付けられてコイル１２が形成され、並びにコイル１２が複数の隔板１２１で区画され、且つベース１の両側に嵌合部１３と係止部１４が設けられ、該嵌合部１３は嵌合溝１３１を具え、係止部１４に係止手段１４１、係止溝１４２が設けられ、且つ係止部１４の一側より複数のピン１４３、１４４が延伸され、各ピン１４３、１４４はベース１底部の案内溝１５を利用してコイル１２に接続されて電気的接続を形成している。
【００１３】
該鉄心２は長柱体状とされ、導電材料で形成される。
【００１４】
該伝送手段３は導電材料で形成され、且つ両側に柱状の嵌止部３１が凸設されている。
【００１５】
上述の鉄心２がベース１の収容孔１１内に挿通され、且つ鉄心２の両側がベース１両側の嵌合部１３に露出し、更に伝送手段３がベース１両側の嵌合部１３に組み合わされ、並びに嵌止部３１を利用して嵌合部１３の嵌合溝１３１に嵌合され、伝送手段３の嵌止部３１と嵌合部１３部分の鉄心２が電気的接続を形成し、且つ磁路を形成し、磁路を形成し、こうして変圧器モジュールが形成される。
【００１６】
変圧器モジュールのベース１外部は絶縁膜４で被覆されてベース１外周のコイル１２が保護される。
【００１７】
図４、５、６は本考案のベースの並列接続方式を示す立体分解図、鉄心がベースに挿通された状態を示す立体分解図、伝送手段がベースに組み合わされた状態の立体外観図である。ベース１は両側の係止部１４の係止手段１４１、係止溝１４２を利用してもう一つのベース１の係止溝１４２、係止手段１４１と相互に係合され、これにより接続される。即ちベース１が並列方式で接続され、更に２本の鉄心２が対応するベース１の収容孔１１内に挿通され、並びに二つの鉄心２の両側がベース１の両側の嵌合部１３に露出し、二つのベース１の外側の嵌合部１３に伝送手段３の嵌止部３１が嵌合され、また伝送手段３の嵌止部３１が嵌合部１３の嵌合溝１３１内に嵌入され、並びに二つの伝送手段３が対応するベース１の両側の嵌合部１３部分の鉄心２と電気的接続を形成し、且つ磁路を構成し、二つの伝送手段３の間は非接触であり、これにより相互干渉を発生せず、且つ電気信号伝送時にも相互に流通せず、安定した信号伝送が行なえる。
【００１８】
ベース１外部は絶縁膜４で被覆され、ベース１の外周のコイル１２が空気との接触或いは灰塵付着より隔離されている。
【００１９】
図７、８、９は本考案の実施例の立体分解図、実施例の別の立体分解図、別の実施例の立体分解図である。本考案のベース１の収容孔１１中に鉄心２を挿通した後、カバー５でベース１の上を閉じ、且つカバー５の相互に対応する側辺上の複数の連設部５１でベース１に組み合わされた鉄心２と電気的接続を形成し、カバー５と鉄心２の電気的接続により磁路を形成し、これにより安定した信号伝送の機能を達成する。該カバー５の相互に対応する側辺上の接続部５１は離間した数個の接続部５１が設けられる（図７参照）か、或いは一体成形方式で長條状の接続部５１が設けられ（図９参照）、いずれも鉄心２と電気的接続の効果を形成できる。
【００２０】
図１０は本考案の別の実施例の立体分解図である。そのうち、変圧器モジュールは複数のベース１が並列に結合される時、隣り合うベース１が係止部１４の係止手段１４１が係止溝１４２に係合することにより、複数のベース１が並列に結合され、さらにカバー５でベース１上方が被覆され、且つカバー５の一側の複数の接続部５１がベース１の嵌合部１３部分の鉄心２と電気的接続を形成し、各ベース１がカバー５上の複数の接続部５１により電気信号を伝送を係止し、且つ磁路を形成し、さらに絶縁膜４がベース１外部を被覆し、こうして変圧器モジュールが形成される。
【図面の簡単な説明】
【００２１】
【図１】本考案の本考案の立体外観図である。
【図２】本考案の本考案の立体分解図である。
【図３】本考案のベース底部平面図である。
【図４】本考案のベースの並列接続方式を示す立体分解図である。
【図５】本考案の鉄心がベースに挿通された状態を示す立体分解図である。
【図６】本考案の伝送手段がベースに組み合わされた状態の立体外観図である。
【図７】本考案の実施例の立体分解図である。
【図８】本考案の実施例の別の立体分解図である。
【図９】本考案の別の実施例の立体分解図である。
【図１０】本考案の更に別の実施例の立体分解図である。
【図１１】周知の変圧器の立体分解図である。
【図１２】周知の変圧器の組立方式を示す立体分解図である。
【図１３】周知の変圧器の立体外観図である。
【符号の説明】
【００２２】
１  ベース
１１  収容孔                      １４１  係止手段
１２  コイル                      １４２  係止溝
１２１  隔板                      １４３  ピン
１３  嵌合部                      １４４  ピン
１３１  嵌合溝                    １５  案内溝
１４  係止部
２  鉄心
３  伝送手段
３１  嵌止部
４  絶縁膜
５  カバー
５１  接続部
Ａ  カバー
Ａ１、Ａ２  底板                  Ａ３、Ａ４  ピン
Ｂ  カバー
Ｂ１、Ｂ２  底板                  Ｂ３、Ｂ４  ピン
Ｃ  銅線
Ｄ  変圧器
Ｄ１  二次側端子                  Ｄ２  一次側端子
Ｅ  鉄心
Ｅ１、Ｅ２、Ｅ３、Ｅ４  柱体      Ｅ５、Ｅ６  端辺
【図１】
0003105842.tif 000003
【図２】
0003105842.tif 000004
【図３】
0003105842.tif 000005
【図４】
0003105842.tif 000006
【図５】
0003105842.tif 000007
【図６】
0003105842.tif 000008
【図７】
0003105842.tif 000009
【図８】
0003105842.tif 000010
【図９】
0003105842.tif 000011
【図１０】
0003105842.tif 000012
【図１１】
0003105842.tif 000013
【図１２】
0003105842.tif 000014
【図１３】
0003105842.tif 000015